(57)【特許請求の範囲】
【請求項１】
透明ガラス越しにある被写体を撮影するためのカメラ撮影補助具であって、
平板状で、カメラのレンズが臨むレンズ孔が設けられ、該レンズ孔に前記レンズを位置させた状態で、前記カメラや撮影者を含む非撮影対象が前記透明ガラスに写り込むのを防止する写り込み防止板と、
前記写り込み防止板に設けられ、撮影者が前記写り込み防止板を保持するための保持体と、
前記写り込み防止板と前記カメラとを着脱自在に連結する連結手段と、を備え、
前記連結手段で前記写り込み防止板と前記カメラとを連結した状態で、前記保持体を保持することで前記写り込み防止板と前記カメラとを保持可能となっている、
ことを特徴とするカメラ撮影補助具。
【請求項２】
前記連結手段は、前記写り込み防止板に設けられ、前記カメラの側面を挟持するようになっている、
ことを特徴とする請求項１に記載のカメラ撮影補助具。
【請求項３】
前記連結手段は、
リング状で、リング内に前記レンズが挿入された状態で前記レンズの基部に取り付けられ、外周面に雄ネジ部が形成されたレンズ側連結部材と、
前記写り込み防止板の前記レンズ孔の内周面に形成され、前記雄ネジ部と螺合する雌ネジ部と、
を備えることを特徴とする請求項１に記載のカメラ撮影補助具。
【発明の詳細な説明】
【技術分野】
【０００１】
この発明は、透明ガラス越しにある被写体を撮影する際のカメラ撮影補助具に関する。
【背景技術】
【０００２】
例えば、発変電所の所内電力は、電力量計の指示値を写真に撮り、複数人で指示値を確認して報告することで、誤報告を防止している。しかしながら、電力量計の前面には、透明なガラスカバーが取り付けられており、このガラスカバーは封印されているため、撮影時に取り外すことができない。このため、指示値の撮影時に、カメラ自体や撮影者などがガラスカバーに写り込み、写真・画像から指示値が読み難い、あるいは読めない場合があった。
【０００３】
また、ガラスカバーへの写り込みや太陽の反射を防止するために、電力量計が収容されているスイッチギアの扉を半開して撮影すると、自動的にフラッシュが光り指示値が見えなくなったり、光量不足でシャッター時間が長くなりピンボケ写真になったりする場合があった。さらに、ＲＰＳ（再生可能エネルギーの利用割合の基準）のデジタル表示式の電力量計を撮影する場合、デジタル数値を鮮明に撮影するには、ガラスカバーの面に対する撮影角度や撮影位置を変えて（斜めから撮影したりして）、何度も撮影しなければならないばかりでなく、鮮明な撮影ができない場合もあった。そして、このようにして電力量計を鮮明に撮影することが困難な結果、指示値やデジタル数値の読み間違いや記録ミスを引き起こすおそれがあった。
【０００４】
一方、カメラ自体や撮影者などが透明ガラス面に写り込むのを防止するための、透明ガラス越し被写体撮影用スクリーンが知られている（例えば、特許文献１参照。）。このスクリーンは、黒色の無反射布製のスクリーンで、カメラと透明ガラスの間にポールを立てて張り、中央部に設けた孔にカメラのレンズ部を挿入して、ガラス越しの被写体を撮影するものである。
【先行技術文献】
【特許文献】
【０００５】
【特許文献１】実開昭６１−２９３２７号公報
【発明の概要】
【発明が解決しようとする課題】
【０００６】
しかしながら、特許文献１のスクリーンでは、カメラと透明ガラスとの間にポールを立てて張らなければならず、装置が大掛かりで、被写体の配設場所によってはスクリーンを設置できない場合もある。しかも、持ち運びが不便であるばかりでなく、設置つまり撮影に時間を要し、さらには、転倒防止の措置を講じなければならない。また、カメラの位置を調整するには、スクリーンも移動しなければならず、被写体に対する距離調整が困難である。
【０００７】
そこでこの発明は、取り扱いが容易で、透明ガラス越しにある被写体を容易かつ鮮明に撮影することを可能にする、カメラ撮影補助具を提供することを目的とする。
【課題を解決するための手段】
【０００８】
上記課題を解決するために、請求項１の発明は、透明ガラス越しにある被写体を撮影するためのカメラ撮影補助具であって、平板状で、カメラのレンズが臨むレンズ孔が設けられ、該レンズ孔に前記レンズを位置させた状態で、前記カメラや撮影者を含む非撮影対象が前記透明ガラスに写り込むのを防止する写り込み防止板と、前記写り込み防止板に設けられ、撮影者が前記写り込み防止板を保持するための保持体と、前記写り込み防止板と前記カメラとを着脱自在に連結する連結手段と、を備え、前記連結手段で前記写り込み防止板と前記カメラとを連結した状態で、前記保持体を保持することで前記写り込み防止板と前記カメラとを保持可能となっている、ことを特徴とする。
【０００９】
この発明によれば、撮影者が保持体を持って写り込み防止板のレンズ孔をレンズに位置させる（合わせる）ことで、カメラや撮影者を含む非撮影対象が透明ガラスに写り込まなくなる。
【００１１】
請求項２の発明は、請求項１に記載のカメラ撮影補助具において、前記連結手段は、前記写り込み防止板に設けられ、前記カメラの側面を挟持するようになっている、ことを特徴とする。
【００１２】
請求項３の発明は、請求項１に記載のカメラ撮影補助具において、前記連結手段は、リング状で、リング内に前記レンズが挿入された状態で前記レンズの基部に取り付けられ、外周面に雄ネジ部が形成されたレンズ側連結部材と、前記写り込み防止板の前記レンズ孔の内周面に形成され、前記雄ネジ部と螺合する雌ネジ部と、を備えることを特徴とする。
【発明の効果】
【００１３】
請求項１の発明によれば、撮影者が保持体を持って写り込み防止板のレンズ孔をレンズに位置させるだけで、カメラや撮影者などが透明ガラスに写り込まないため、取り扱いが容易で（使い勝手が良く）、透明ガラス越しにある被写体を容易かつ鮮明に撮影することが可能となる。すなわち、周囲の撮影スペースが狭い場合などであっても、撮影者が写り込み防止板を保持するだけで、確実かつ容易、迅速にカメラや撮影者などの写り込みを防止することができ、また、持ち運びも容易である。
【００１４】
しかも、カメラの位置を調整して、写り込み防止板のレンズ孔をレンズに位置させるだけで、被写体に対する距離調整を容易かつ迅速に行うことができる。さらに、保持体を備えるため、撮影者が写り込み防止板を安定かつ容易に保持することができ、その結果、透明ガラス越しにある被写体をより鮮明かつ容易に撮影することが可能となる。
【００１５】
さらに、連結手段で写り込み防止板とカメラとを連結した状態で、保持体を保持するだけで写り込み防止板とカメラとを保持可能なため、撮影者はカメラを保持しなくてもよい。つまり、一方の手で写り込み防止板を保持し、他方の手でカメラを保持する必要がないため、使い勝手が良く、透明ガラス越しにある被写体をより容易に撮影することが可能となる。
【００１６】
請求項２の発明によれば、連結手段によってカメラの側面を挟持するようになっているため、例えば、カメラのレンズと写り込み防止板とを連結できない場合であっても、写り込み防止板とカメラとを確実に連結することができる。
【００１７】
請求項３の発明によれば、レンズ側連結部材を介してカメラのレンズと写り込み防止板とを連結するため、例えば、カメラの側面を挟持できない場合であっても、写り込み防止板とカメラとを確実に連結することができる。
【図面の簡単な説明】
【００１８】
【図１】この発明の実施の形態１に係るカメラ撮影補助具を示す正面図（ａ）と平面図（ｂ）である。
【図２】この発明の実施の形態２に係るカメラ撮影補助具を示す分解断面図である。
【図３】図２のカメラ撮影補助具のレンズ側連結部材を示す拡大図である。
【発明を実施するための形態】
【００１９】
以下、この発明を図示の実施の形態に基づいて説明する。
（実施の形態１）
【００２０】
図１は、この実施の形態に係るカメラ撮影補助具１を示す正面図（ａ）と平面図（ｂ）である。このカメラ撮影補助具１は、透明ガラス越しにある被写体を撮影するための補助具であり、主として、写り込み防止板２と、保持体３と、連結ユニット（連結手段）４と、を備える。
【００２１】
ここで、この実施の形態では、電力量計の前面に透明なガラスカバーが取り付けられており、このガラスカバーの奥側に、被写体である指示値が配置されている場合について、主として説明する。また、カメラ（ビデオカメラを含む）１００のレンズ１０１は、カメラ１００の前面に対して伸縮自在となっており、完全に縮んだ状態ではカメラ１００の前面から突出しない、あるいは、わずかしか突出しないようになっている。
【００２２】
写り込み防止板２は、平板状で、カメラ１００のレンズ１０１が臨むレンズ孔２１が設けられ、このレンズ孔２１にレンズ１０１を位置させた状態で、カメラ１００や撮影者を含む非撮影対象が透明ガラスに写り込むのを防止する板である。具体的には、後述するようにして、保持体３のみを保持した状態でカメラ１００を保持できる剛性・強度を有する板材で構成され、平面形状が略正方形に形成されている。また、表面（被写体に対向する面）が全面にわたって黒色に着色されていることで、光を反射しない無反射板となっており、中央部には、カメラ１００のレンズ１０１と同径のレンズ孔２１が形成されている。
【００２３】
このような写り込み防止板２の大きさ・形状は、被写体である電力量計の指示値を所定の距離（指示値を鮮明に撮影するための通常の距離）から撮影する際に、カメラ１００自体や撮影者を含む非撮影対象（ガラスカバーに写り込んでほしくないもの）が、電力量計のガラスカバーに写り込まないように、設定されている。
【００２４】
保持体３は、写り込み防止板２に設けられ、撮影者が写り込み防止板２を保持するためのものである。すなわち、棒状で、写り込み防止板２の下側の一角部から、斜め下方に延びるように配設され、撮影者が保持体３を持って写り込み防止板２およびカメラ１００を保持しやすく、かつ、撮影がしやすいように形成、配置されている。
【００２５】
連結ユニット４は、写り込み防止板２とカメラ１００とを着脱自在に連結するものであり、この実施の形態では、写り込み防止板２に設けられ、カメラ１００の側面１００ａを挟持するようになっている。すなわち、写り込み防止板２の裏面に、レンズ孔２１の左右側にそれぞれ、壁状の連結壁４１が設けられている。この連結壁４１にはネジ孔（図示せず）が形成され、このネジ孔に連結ネジ４２が螺合されている。
【００２６】
さらに、連結ネジ４２の先端側（レンズ孔２１側）には、連結パッド４３が配設され、この連結パッド４３は、連結ネジ４２に対して回動自在で、連結ネジ４２が回転しても連結パッド４３は回転しないようになっている。また、連結パッド４３の先端面（レンズ孔２１側の面）には、吸着性を有する部材（ゴム板など）が配設され、カメラ１００の側面１００ａを強固に安定して挟持できるようになっている。
【００２７】
そして、写り込み防止板２のレンズ孔２１にカメラ１００のレンズ１０１を位置させて、両連結ネジ４２を締め込むことで、連結パッド４３を介して両連結ネジ４２でカメラ１００の両側面１００ａが挟持され、写り込み防止板２とカメラ１００とが連結される。また、両連結ネジ４２を緩めることで、カメラ１００を写り込み防止板２から取り外せるものである。
【００２８】
このようにして、連結ユニット４で写り込み防止板２とカメラ１００とを連結した状態で、保持体３を保持することで、写り込み防止板２とカメラ１００とを保持可能となっている。つまり、保持体３のみを持っても、写り込み防止板２とカメラ１００とを安定して保持できるように、連結ユニット４の連結（挟持）強度や、写り込み防止板２や保持体３の剛性・強度などが設定されている。
【００２９】
また、大きさ・幅が異なるカメラ１００を写り込み防止板２に連結できるように、連結壁４１の位置や連結ネジ４２のストローク長（進退動）が設定されている。
【００３０】
次に、このような構成のカメラ撮影補助具１の作用や、カメラ撮影補助具１を使用した撮影方法などについて説明する。
【００３１】
まず、上記のようにして、写り込み防止板２のレンズ孔２１にカメラ１００のレンズ１０１を位置させ、連結ユニット４の両連結ネジ４２を締め込んで、写り込み防止板２とカメラ１００とを連結する。そして、撮影者が一方の手で保持体３を持ち、写り込み防止板２とカメラ１００を電力量計の前面から所望の距離に位置させる。このとき、写り込み防止板２によってカメラ１００自体や撮影者を含む非撮影対象が、電力量計のガラスカバーに写り込まない。この状態で、他方の手でカメラ１００のシャッターを押して、電力量計の指示値を撮影するものである。
【００３２】
以上のように、本カメラ撮影補助具１によれば、写り込み防止板２のレンズ孔２１をレンズ１０１に位置させて、撮影者が保持体３を持つだけで、カメラ１００や撮影者などが電力量計のガラスカバーに写り込まない。このため、取り扱いが容易で（使い勝手が良く）、ガラスカバー越しにある指示値を容易かつ鮮明に撮影することが可能となる。すなわち、周囲の撮影スペースが狭い場合などであっても、撮影者が保持体３を持って写り込み防止板２を保持するだけで、確実かつ容易、迅速にカメラ１００や撮影者などの写り込みを防止することができ、また、持ち運びも容易である。
【００３３】
そして、カメラ１００や撮影者などがガラスカバーに写り込むのを防止できる結果、撮影時間を短縮できるとともに、斜めから撮影することなく正面から撮影することができる。その結果、視認性が向上し指示値の読み間違いを防止することができ、さらには、記録精度が向上する。
【００３４】
しかも、カメラ１００の位置調整に伴って、レンズ孔２１がレンズ１０１に位置したまま写り込み防止板２も移動するため、被写体である指示値に対する距離調整を容易かつ迅速に行うことができる。さらに、保持体３を備えるため、撮影者が写り込み防止板２を安定かつ容易に保持することができ、その結果、ガラスカバー越しにある指示値をより鮮明かつ容易に撮影することが可能となる。
【００３５】
また、連結ユニット４で写り込み防止板２とカメラ１００とを連結した状態で、保持体３を保持するだけで写り込み防止板２とカメラ１００とを保持可能なため、撮影者はカメラ１００を保持しなくてもよい。つまり、一方の手で写り込み防止板２を保持し、他方の手でカメラ１００を保持する必要がないため、使い勝手が良く、ガラスカバー越しにある指示値をより容易に撮影することが可能となる。
【００３６】
さらに、連結ユニット４によってカメラ１００の側面１００ａを挟持するようになっているため、例えば、カメラ１００のレンズ１０１と写り込み防止板２とを連結できない場合であっても、写り込み防止板２とカメラ１００とを確実に連結することができる。
（実施の形態２）
【００３７】
図２は、この実施の形態に係るカメラ撮影補助具１０を示す分解断面図である。この実施の形態では、連結手段が実施の形態１の連結ユニット４と構成が異なり、実施の形態１と同等の構成については、同一符号を付することで、その説明を省略する。ここで、カメラ１００のレンズ１０１は、カメラ１００の前面に対して伸縮自在となっており、完全に縮んだ状態でレンズ１０１の基部１０１ａがカメラ１００の前面から突出するようになっている。
【００３８】
この実施の形態では、連結手段は、リング状で、リング内にレンズ１０１が挿入された状態でレンズ１０１の基部１０１ａに取り付けられ、外周面に雄ネジ部５１が形成されたレンズ側連結部材５と、写り込み防止板２のレンズ孔２１の内周面に形成され、雄ネジ部５１と螺合する雌ネジ部２２と、を備える。
【００３９】
すなわち、レンズ側連結部材５は、平らな円環状で、内径がレンズ１０１の基部１０１ａの外径とほぼ同径に設定され、厚みがレンズ１０１の基部１０１ａの高さとほぼ同寸法に設定されている。また、外周の全面にわたって雄ネジ部５１が形成され、さらに、図３に示すように、外周面から内周面にわたる固定用ネジ孔５２が形成されている。そして、レンズ側連結部材５のリング内にレンズ１０１を挿入して基部１０１ａに位置・装着させ、固定用ネジ孔５２に固定用ネジ５３を締め付けることで、レンズ側連結部材５がレンズ１０１の基部１０１ａに固定されるようになっている。
【００４０】
一方、写り込み防止板２のレンズ孔２１の内径は、レンズ側連結部材５の外径とほぼ同径に設定され、内周の全面にわたって雌ネジ部２２が形成されている。そして、雌ネジ部２２を雄ネジ部５１に螺合させて締め込むことで、写り込み防止板２とレンズ側連結部材５が連結され、レンズ側連結部材５を介して写り込み防止板２がレンズ１０１の基部１０１ａに取り付けられる。また、雌ネジ部２２と雄ネジ部５１との螺合を解除することで、写り込み防止板２がレンズ１０１から取り外れるものである。
【００４１】
このように、この実施の形態によれば、レンズ側連結部材５を介してカメラ１００のレンズ１０１と写り込み防止板２とを連結するため、例えば、カメラ１００の側面１００ａに操作スイッチなどがあって側面１００ａを挟持できない場合であっても、写り込み防止板２とカメラ１００とを確実に連結することができる。また、雌ネジ部２２と雄ネジ部５１とを螺合したり螺合解除したりするだけで、容易かつ迅速に写り込み防止板２をカメラ１００に着脱することができる。さらに、レンズ１０１の基部１０１ａの外径が異なる場合であっても、内径が異なるレンズ側連結部材５を取り付けるだけで、写り込み防止板２を変えることなくカメラ１００に連結することができる。
【００４２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、写り込み防止板２とカメラ１００とを連結して撮影しているが、被写体の大きさ、形状や周辺の撮影環境、あるいはカメラ１００の形状や機構などに応じて、写り込み防止板２とカメラ１００とを連結しないで撮影してもよい。この場合であっても、撮影者が保持体３を持って写り込み防止板２のレンズ孔２１をレンズ１０１に位置させるだけで、カメラ１００や撮影者などが透明ガラスに写り込まないため、取り扱いが容易で（使い勝手が良く）、透明ガラス越しにある被写体を容易かつ鮮明に撮影することが可能となる。
【００４３】
また、写り込み防止板２の平面形状が略正方形に形成されているが、被写体やガラス面の形状などに応じてその他の形状（円形など）であってもよい。さらに、写り込み防止板２の中央部にレンズ孔２１が形成されているが、被写体やガラス面の形状などに応じてその他の位置に設けてもよい。
【符号の説明】
【００４４】
１、１０  カメラ撮影補助具
２        写り込み防止板
２１      レンズ孔
２２      雌ネジ部（連結手段）
３        保持体
４        連結ユニット（連結手段）
４１      壁状の連結壁
４２      連結ネジ
５        レンズ側連結部材（連結手段）
５１      雄ネジ部
１００    カメラ
１００ａ  側面
１０１    レンズ
１０１ａ  基部
【図１】
0006492689.tif 000002
【図２】
0006492689.tif 000003
【図３】
0006492689.tif 000004